(57)【要約】【課題】電線にジャバラ管を装着する作業の作業性を良好にすること。【解決手段】先端側が電線１０２に連絡するように電線１０２に固定可能な電線固定部１０３を設け、この電線固定部１０３のつなぎ部１０８ａに鋭角をなすようにジャバラ管挿入体１０５を連結し、電線固定部１０３とジャバラ管挿入体１０５との鋭角をなす連結部分に、ジャバラ管挿入体１０５に差し込まれたジャバラ管１０４の割部１０７の当接を受けてこの割部１０７を割るセパレータ１０６を設ける。ジャバラ管挿入体１０５には、差し込まれたジャバラ管１０４を保持してそのスライド移動を助けるような基本形状と、ジャバラ管１０４の内壁との当たりを滑らかにして折れ曲がったジャバラ管１０４を円滑に矯正できるような先端部の曲面形状とをもたせる。【選択図】図５
2011182531.tif 000002
【特許請求の範囲】
【請求項１】
少なくとも一部にジャバラ管の内径よりも小径で曲面から形成されたつなぎ部を備え、前記つなぎ部の先端側が電線に連絡するように当該電線に固定するための固定機構を備える電線固定部と、
前記ジャバラ管の内径よりも小径の円柱形状をなしてその形状により差し込まれた前記ジャバラ管を保持可能であり、前記電線固定部の前記つなぎ部にその後端側と鋭角をなして連結し、先端部が曲面によって形成されたジャバラ管挿入体と、
前記電線固定部と前記ジャバラ管挿入体との鋭角をなす連結部分に設けられ、前記ジャバラ管挿入体に差し込まれた前記ジャバラ管の割部の当接を受けて当該割部を割るセパレータと、
を備えるジャバラ管装着工具。
【請求項２】
前記固定機構は、前記電線固定部の内部に配置されて前記電線を挟持可能な一対の挟持板と、これらの挟持板の間の対向間隔を調節する調節機構と、を備える、請求項１に記載のジャバラ管装着工具。
【請求項３】
前記調節機構は、前記電線固定部の外部に露出する摘み部の回転運動を前記一対の挟持板の近接離反運動に変換する、請求項２に記載のジャバラ管装着工具。
【請求項４】
前記セパレータは、前記電線固定部と前記ジャバラ管挿入体との鋭角をなす連結部分に向かうに従い厚みを増す板状部材によって形成されている、請求項１ないし３のいずれか一に記載のジャバラ管装着工具。
【請求項５】
少なくとも前記固定部と前記ジャバラ管挿入体とは、プラスチック材によって形成されている、請求項１ないし４のいずれか一に記載のジャバラ管装着工具。
【発明の詳細な説明】
【技術分野】
【０００１】
本発明は、高圧引き下げ線等の電線に柔軟性を有するジャバラ管を装着するために用いられるジャバラ管装着工具に関する。
【背景技術】
【０００２】
従来、安全性確保の目的で、電線を管状部材で覆うようにすることがある。この場合、防護管と呼ばれる比較的硬質な部材を管状部材として用いる他、ジャバラ管と呼ばれる比較的柔軟な部材を管状部材として用いることもある。ジャバラ管は、軽量でフレキシブルであるという特性から、高圧引き下げ線を覆う管状部材として広く普及している。
【０００３】
特許文献１は、間接活線工法を用いて電線にジャバラ管を装着する手法を紹介している。以下、このような特許文献１に紹介されているジャバラ管の装着手法を、図７ないし図９を参照しながら説明する。
【０００４】
図７に示すように、電線１１にジャバラ管１２（図８、図９参照）を装着するに先立って、電線１１にジャバラ管挿入器１３を装着する。ジャバラ管挿入器１３は、間接活線工法によって電線１１に装着可能であり、ジャバラ管１２の挿入を補助するための挿入部１４を備えている。図８に示すように、電線１１に対するジャバラ管挿入器１３の装着に前後して、ジャバラ管１２にはアダプタ１５を取り付けておく。アダプタ１５は、ジャバラ管１２に端部に差し込むことができるシャベルのような形状のもので、ジャバラ管１２に形成された割部１６を押し広げることができる。図８中には図示しないが、アダプタ１５は二つ用意され、ジャバラ管１２の両端にそれぞれ差し込まれる。そして、図７および図８に示すように、ジャバラ管挿入器１３およびアダプタ１５には、紐１３ａ、１５ａがそれぞれ取り付けられている。そこで、図９に示すように、絶縁ヤットコ（図示せず）のような間接活線工具でジャバラ管１２を掴み、一方のアダプタ１５をジャバラ管挿入器１３の挿入部１４に差し込む。しかる後、ジャバラ管挿入器１３に取り付けられている方の紐１３ａを掴んでジャバラ管挿入器１３を固定した状態で、アダプタ１５に取り付けられている方の紐１５ａを掴んで引っ張る。こうすることで、アダプタ１５によって開かれた割部１６から電線１１をジャバラ管１２の内部に入り込ませることができる。ジャバラ管１２がジャバラ管挿入器１３を通り過ぎれば、ジャバラ管１２は電線１１に装着された状態となる。この後、紐１５ａを引っ張ってジャバラ管１２の両端からアダプタ１５を抜き去り、電線１１からジャバラ管挿入器１３を取り外せば、電線１１に対するジャバラ管１２の装着作業が完了する。
【０００５】
以上説明したように、間接活線工法によって電線１１にジャバラ管１２を装着することができる。ところが、上記手法には、工程の多さから作業が煩雑であるという問題がある。特許文献２には、このような問題に対する一つの解決策として、電線に対するジャバラ管のシンプルな取り付け手法が紹介されている。特許文献２が紹介するのは、単一のジャバラ管装着工具（特許文献２では防護管装着工具）のみを用い、間接活線工法によって電線にジャバラ管を装着する手法である。ジャバラ管装着工具は、電線に固定可能な基部に案内部を設けただけの簡単な構造物である。案内部は、略菱形の平面形状を備える板状体であるとされ（特許文献２の段落００２８参照）、ジャバラ管を差し込むことができるようになっている。案内部に差し込まれたジャバラ管は、その割部が開いた状態となる。このような案内部は、基部に対してやや傾斜しており、基部を取り付けた電線に向けて近接するように工夫されている。そこで、案内部にジャバラ管を差し込み、そのまま電線に向けて引っ張ると、開かれた割部から電線がジャバラ管の内部に入り込む。そして、ジャバラ管が案内部を通り過ぎると、ジャバラ管は完全に電線に装着された状態となる。この後、作業者が行なうべきことは、電線からジャバラ管装着工具を取り外す作業のみとなる。
【先行技術文献】
【特許文献】
【０００６】
【特許文献１】特開２００８−０７９４０４公報（段落０００２〜段落０００５等）
【特許文献２】特開２００８−１７８２７７公報
【発明の概要】
【発明が解決しようとする課題】
【０００７】
特許文献２に示されているジャバラ管装着工具およびこれを用いたジャバラ管の装着方法は、電線にジャバラ管を装着するに際して必要な工程数を少なくすることができるという意味で、なかなか優れた工具および方法であると云える。
【０００８】
しかしながら、ジャバラ管は、前述したように、柔軟性を有してフレキシブルであるという特性を有している。このため、特許文献２に記載の発明において、菱形をした案内部にジャバラ管を差し込んだ場合、ジャバラ管は形状保持されず、案内部に差し込まれた部分以外の残余の部分は重力の作用で折れて垂れ下がった状態となる。このような現象は、ジャバラ管が長ければ長いほど顕著に発生する。そして、このような現象の発生は、案内部に差し込んだジャバラ管を引っ張るに際して、大きな抵抗をもたらすという不都合を引き起こす。このため、実際の作業に際しては、ジャバラ管の折れ曲がって垂れ下がった部分を絶縁ヤットコ等の間接活線工具で掴み、折れ曲がりを矯正するというような努力を必要とする。したがって、特許文献２に記載された発明は、工程数の減少という大きな利点を有しながらも、作業性という面では、一考の余地がある発明である。
【０００９】
本発明は、このような点に鑑みなされ、電線にジャバラ管を装着する作業の作業性を良好にすることを目的とする。
【課題を解決するための手段】
【００１０】
請求項１に記載のジャバラ管装着工具の発明は、少なくとも一部にジャバラ管の内径よりも小径で曲面から形成されたつなぎ部を備え、前記つなぎ部の先端側が電線に連絡するように当該電線に固定するための固定機構を備える電線固定部と、前記ジャバラ管の内径よりも小径の円柱形状をなしてその形状により差し込まれた前記ジャバラ管を保持可能であり、前記電線固定部の前記つなぎ部にその後端側と鋭角をなして連結し、先端部が曲面によって形成されたジャバラ管挿入体と、前記電線固定部と前記ジャバラ管挿入体との鋭角をなす連結部分に設けられ、前記ジャバラ管挿入体に差し込まれた前記ジャバラ管の割部の当接を受けて当該割部を割るセパレータと、を備えることによって上記課題を解決する。
【００１１】
請求項２に記載の発明は、請求項１に記載のジャバラ管装着工具において、前記固定機構を、前記電線固定部の内部に配置されて前記電線を挟持可能な一対の挟持板と、これらの挟持板の間の対向間隔を調節する調節機構と、を備える構造とした。
【００１２】
請求項３に記載の発明は、請求項２に記載のジャバラ管装着工具において、前記調節機構を、前記電線固定部の外部に露出する摘み部の回転運動を前記一対の挟持板の近接離反運動に変換するようにした。
【００１３】
請求項４に記載の発明は、請求項１ないし３のいずれか一に記載のジャバラ管装着工具において、前記セパレータを、前記電線固定部と前記ジャバラ管挿入体との鋭角をなす連結部分に向かうに従い厚みを増す板状部材によって形成した。
【００１４】
請求項５に記載の発明は、請求項１ないし４のいずれか一に記載のジャバラ管装着工具において、少なくとも前記固定部と前記ジャバラ管挿入体とを、プラスチック材によって形成した。
【発明の効果】
【００１５】
請求項１に記載の発明によれば、ジャバラ管挿入体によってジャバラ管をある程度の長さ保持することができ、また、ジャバラ管挿入体の曲面によって形成されている先端はジャバラ管の内壁との間の抵抗を和らげることができるので、ジャバラ管がジャバラ管挿入体に挿入されている以外の部分で折れ曲がったとしても、電線への装着方向にジャバラ管を引っ張ることでジャバラ管をスライド移動させることができ、したがって、電線にジャバラ管を装着する作業の作業性を良好にすることができる。
【００１６】
請求項２に記載の発明によれば、電線固定部を電線に固定した状態に維持することができるので、ジャバラ管挿入体に装着したジャバラ管をスライド移動させるに際して電線固定部を手作業で押さえ続ける必要性をなくすことができ、しかも、その際にジャバラ管装着工具をずれにくくすることができ、したがって、電線にジャバラ管を装着する作業の作業性をより一層良好にすることができる。
【００１７】
請求項３に記載の発明によれば、電線に電線固定部を固定する作業をねじ締め動作によって行なうことができるので、電線にジャバラ管装着工具を固定する作業そのもの作業性も良好にすることきができる。
【００１８】
請求項４に記載の発明によれば、電線固定部とジャバラ管挿入体との鋭角をなす連結部分に向かうに従い厚みを増す板状部材によってセパレータを形成したので、ジャバラ管挿入体から電線固定部にスライド移動するジャバラ管の移動動作を円滑にすることができ、したがって、電線にジャバラ管を装着する作業の作業性をより一層良好にすることができる。
【００１９】
請求項５に記載の発明によれば、少なくとも電線固定部とジャバラ管挿入体とをプラスチック材によって形成したので、ジャバラ管装着工具全体を軽量に形成することができ、したがって、ジャバラ管装着工具を装着する電線がどのような向きであってもジャバラ管装着工具を用いたジャバラ管の装着を可能にするばかりか、電線にジャバラ管装着工具を固定する作業の作業性を良好にすることができ、しかも、万が一ジャバラ管装着工具を落としてしまったような場合であっても落下位置に位置する人や物に対する被害を小さくすることができる。
【図面の簡単な説明】
【００２０】
【図１】実施の一形態を示すジャバラ管装着工具全体の正面図。
【図２】（ａ）はジャバラ管装着工具全体の左側面図、（ｂ）はジャバラ管装着工具全体の右側面図。
【図３】固定機構の分解斜視図。
【図４】ジャバラ管の装着工程中、電線にジャバラ管装着工具を固定した状態の正面図。
【図５】ジャバラ管の装着工程中、ジャバラ管装着工具にジャバラ管を装着しようとする状態の正面図。
【図６】ジャバラ管の装着工程、電線にジャバラ管が装着され始めた状態を示す正面図。
【図７】従来のジャバラ管装着工程中、電線にジャバラ管挿入器を固定した状態を示す正面図。
【図８】従来のジャバラ管装着工程中、ジャバラ管にアダプタを装着した状態を示す斜視図。
【図９】従来のジャバラ管装着工程中、ジャバラ管挿入器に挿入されたジャバラ管が電線に装着され始める状態を示す正面図。
【発明を実施するための形態】
【００２１】
実施の一形態を図１ないし図６に基づいて説明する。
【００２２】
図１は、ジャバラ管装着工具１０１の実施の一形態を示す全体の正面図である。図２（ａ）は、ジャバラ管装着工具１０１の左側面図、図２（ｂ）は、その右側面図である。ジャバラ管装着工具１０１は、高圧引き下げ線等の電線１０２（図４〜図６参照）に固定可能な電線固定部１０３と、ジャバラ管１０４（図５、図６参照）が装着可能なジャバラ管挿入体１０５とが一体に形成され、電線固定部１０３とジャバラ管挿入体１０５との連結根元部分にセパレータ１０６も一体形成されてなる。概略、ジャバラ管装着工具１０１は、電線固定部１０３を用いて電線１０２に固定しておき、ジャバラ管挿入体１０５に差し込んだジャバラ管１０４を電線１０２の方向にどんどんスライド移動させることによって、電線１０２に対するジャバラ管１０４の装着を可能とするものである。この際、ジャバラ管装着工具１０１は、ジャバラ管１０４に設けられている割部１０７（図５、図６参照）をセパレータ１０６によって割り、この割部１０７からジャバラ管１０４の内部に電線１０２を入れ込む。以下、ジャバラ管装着工具１０１の構造及び作用効果をより詳しく説明する。
【００２３】
まず、電線固定部１０３について説明する。電線固定部１０３は、パイプ状部材１０８を基体とし、このパイプ状部材１０８に電線１０２に対する固定機構１０９を内蔵している。パイプ状部材１０８は、ジャバラ管１０４の内径よりも小径の円筒形状をしており、それ故に、外面形状が曲面から形成されている。曲面から形成されたパイプ状部材１０８の一部は、後述するジャバラ管挿入体１０５が連結するつなぎ部１０８ａとなっている。このようなパイプ状部材１０８の周面の一部は、内部に電線１０２を導き入れるための開口部１１０として形成されている。開口部１１０は、パイプ状部材１０８の全長にわたり形成されている。
【００２４】
図３は、固定機構１０９の分解斜視図である。固定機構１０９は、パイプ状部材１０８の内周面に圧入される円筒状の基体１１１を備えている。この基体１１１にも、パイプ状部材１０８の開口部１１０に位置合わせされて開口部１１２が形成されている。そして、固定機構１０９は、電線１０２を挟持可能な一対の挟持板１１３を基体１１１の内部に備え、それらの挟持板１１３の間の対向間隔を調節する調節機構１１４を備えている。挟持板１１３は、電線１０２の挟持に適した曲率を有する板状部材である。そこで、これらの挟持板１１３の間の対向間隔を調節機構１１４によって調節することで、一対の挟持板１１３によって電線１０２を挟持することができる。一対の挟持板１１３が電線１０２を挟持すれば、電線固定部１０３、ひいてはジャバラ管装着工具１０１を電線１０２に固定することができる。
【００２５】
調節機構１１４は、基体１１１に対して位置不動に配置されている一方の挟持板１１３ａに対して、もう一方の挟持板１１３ｂを近接離反させる機構である。基体１１１に対して位置不動である一方の挟持板１１３ａは、スタッド１１５によって基体１１１の内周面に固定されている。この一方の挟持板１１３ａに対して近接離反自在のもう一方の挟持板１１３ｂは、調節ねじ１１６の先端に回転自在に取り付けられている。調節ねじ１１６は、その先端部が位置不動の一方の挟持板１１３ａに対向するように、基体１１１に形成されたねじ孔１１７に螺合している。そこで、調節ねじ１１６の先端部は、その捻じ込み動作に応じて挟持板１１３ａに近接し、捩じ戻し動作に応じて挟持板１１３ａから離反する。このような調節ねじ１１６は、基体１１１の外部にリング形状の摘み部１１８を備えている。そこで、摘み部１１８を掴んで調節ねじ１１６を回すことによって、位置不動である一方の挟持板１１３ａに対してもう一方の挟持板１１３ｂを近接離反させることが可能となる。この際、調節機構１１４は、調節ねじ１１６の回転に伴い挟持板１１３ｂが連れ回りしないよう、挟持板１１３ｂの回転を抑制する機構（図示せず）を備えている。こうして、調節機構１１４は、摘み部１１８の回転運動を一対の挟持板１１３の近接離反運動に変換している。
【００２６】
ここで、図３に示すように、電線固定部１０３をなすパイプ状部材１０８は、固定機構１０９が有する調節ねじ１１６に干渉しないように、一端に開口するスリット１１９を有している。スリット１１９は、パイプ状部材１０８に調節機構１１４の基体１１１を装着するに際して、パイプ状部材１０８に対する調節ねじ１１６の干渉を防止する。
【００２７】
また、電線固定部１０３は、スリット１１９が開口していない方向の端部を先端部、スリット１１９が開口している方の端部を後端部としている。
【００２８】
ついで、ジャバラ管挿入体１０５について説明する。ジャバラ管挿入体１０５は、ジャバラ管１０４の内径よりも小径の円柱形状をなしている筒状部材であり、ジャバラ管１０４の差し込みを許容する。ジャバラ管挿入体１０５は、その形状により、差し込まれたジャバラ管１０４を保持可能である。このようなジャバラ管挿入体１０５は、電線固定部１０３のつなぎ部１０８ａに対して、その後端側と鋭角をなすように連結している。そして、ジャバラ管挿入体１０５は、その先端部が曲面によって形成されている。
【００２９】
ついで、セパレータ１０６について説明する。セパレータ１０６は、電線固定部１０３とジャバラ管挿入体１０５との鋭角をなす連結部分に設けられたフィンのような形状の板状部材である。このようなセパレータ１０６の配置位置より、ジャバラ管挿入体１０５に差し込んだジャバラ管１０４をスライド移動させてそのままジャバラ管挿入体１０５の根元の方に引き込むと、ジャバラ管１０４はセパレータ１０６に当接する。すると、ジャバラ管１０４には割部１０７が形成されているので（図５、図６参照）、セパレータ１０６は、ジャバラ管挿入体１０５に差し込まれたジャバラ管１０４の割部１０７の当接を受けて、この割部１０７を割るように機能する。このようなセパレータ１０６は、図２（ａ）に示すように、電線固定部１０３とジャバラ管挿入体１０５との鋭角をなす連結部分に向かうに従い厚みを増すように形成されている。
【００３０】
以上のようなジャバラ管装着工具１０１において、電線固定部１０３とジャバラ管挿入体１０５とセパレータ１０６との部分は、プラスチック材による一体成型によって形成されている。固定機構１０９は、一例として、その全部または一部が金属によって形成されている。別の一例として、固定機構１０９の全部または一部が樹脂等によって形成されていても良い。
【００３１】
このような構成において、ジャバラ管装着工具１０１を用いることで、電線１０２に対してジャバラ管１０４を容易に装着することができる。以下、電線１０２に対するジャバラ管１０４の装着工程を図４ないし図６を参照しながら順を追って説明する。
【００３２】
図４は、ジャバラ管１０４の装着工程中、電線１０２にジャバラ管装着工具１０１を固定した状態の正面図である。図４に示すように、電線１０２にジャバラ管装着工具１０１を固定する。そのためには、電線固定部１０３が有しているパイプ状部材１０８および基体１１１の開口部１１０、１１２から電線１０２を差し込み、一対の挟持板１１３（１１３ａ、１１３ｂ）の間に電線１０２を位置させる。この状態で、摘み部１１８を右回転させて調節ねじ１１６を捻じ込む。すると、位置不動の一方の挟持板１１３ａにもう一方の挟持板１１３ｂが近接し、これらの二つの挟持板１１３の間に電線１０２が挟持される。この状態において、ジャバラ管装着工具１０１が電線１０２に固定される。
【００３３】
以上説明した電線１０２に対するジャバラ管装着工具１０１の固定作業は、絶縁ヤットコ等の間接活線工具を用いて行なう。
【００３４】
図５は、ジャバラ管１０４の装着工程中、ジャバラ管装着工具１０１にジャバラ管１０４を装着しようとする状態の正面図である。図５に示すように、ジャバラ管装着工具１０１のジャバラ管挿入体１０５にジャバラ管１０４を差し込む。ジャバラ管挿入体１０５は、ジャバラ管１０４の内径よりも小径の円柱形状に形成されているので、ジャバラ管１０４を容易に差し込むことができる。
【００３５】
以上説明したジャバラ管挿入体１０５に対するジャバラ管１０４の差し込み作業も、絶縁ヤットコ等の間接活線工具を用いて行なう。
【００３６】
図６は、ジャバラ管１０４の装着工程、電線１０２にジャバラ管１０４が装着され始めた状態を示す正面図である。図６に示すように、ジャバラ管挿入体１０５に差し込んだジャバラ管１０４をジャバラ管挿入体１０５の根元、電線固定部１０３の方向にスライド移動させる。すると、ジャバラ管１０４はセパレータ１０６に当接し、このセパレータ１０６で割部１０７が割られる。このため、なおもジャバラ管１０４を引っ張ると、ジャバラ管１０４の先端部がジャバラ管挿入体１０５から電線固定部１０３に移行し、電線固定部１０３を越えると電線１０２を覆う位置に至る。そこで、このままジャバラ管１０４を更に引っ張ると、ジャバラ管１０４は電線固定部１０３を完全に乗り越え、これによって電線１０２に装着される。こうして電線１０２にジャバラ管１０４が装着された後、電線１０２からジャバラ管装着工具１０１を取り外せば、電線１０２に対するジャバラ管１０４の装着作業が完了する。
【００３７】
以上説明したジャバラ管１０４のスライド移動作業等も、絶縁ヤットコ等の間接活線工具を用いて行なう。
【００３８】
ここで、本実施の形態のジャバラ管装着工具１０１によれば、ジャバラ管挿入体１０５によってジャバラ管１０４をある程度の長さ保持することができ、また、ジャバラ管挿入体１０５の曲面によって形成されている先端はジャバラ管１０４の内壁との間の抵抗を和らげることができる。これにより、ジャバラ管１０４がジャバラ管挿入体１０５に挿入されている以外の部分で折れ曲がったとしても、電線１０２への装着方向にジャバラ管１０４を引っ張ることで、ジャバラ管１０４を円滑にスライド移動させることができる。したがって、電線１０２にジャバラ管１０４を装着する作業の作業性を良好にすることができる。
【００３９】
また、本実施の形態のジャバラ管装着工具１０１によれば、固定機構１０９によって電線固定部１０３を電線１０２に固定した状態に維持することができる。これにより、ジャバラ管挿入体１０５に装着したジャバラ管１０４をスライド移動させるに際して、電線固定部１０３を手作業で押さえ続ける必要性をなくすことができ、しかも、その際にジャバラ管装着工具１０１をずれにくくすることができる。したがって、電線１０２にジャバラ管１０４を装着する作業の作業性をより一層良好にすることができる。
【００４０】
また、本実施の形態のジャバラ管装着工具１０１によれば、電線１０２に電線固定部１０３を固定する作業を調節ねじ１１６のねじ締め動作によって行なうことができる。これにより、電線１０２にジャバラ管装着工具１０１を固定する作業そのもの作業性も良好にすることきができる。
【００４１】
また、本実施の形態のジャバラ管装着工具１０１によれば、セパレータ１０６は、電線固定部１０３とジャバラ管挿入体１０５との鋭角をなす連結部分に向かうに従い厚みを増している。このため、ジャバラ管挿入体１０５から電線固定部１０３にスライド移動するジャバラ管１０４の移動動作を円滑にすることができる。したがって、電線１０２にジャバラ管１０４を装着する作業の作業性をより一層良好にすることができる。
【００４２】
さらに、本実施の形態のジャバラ管装着工具１０１によれば、少なくとも電線固定部１０３とジャバラ管挿入体１０５とセパレータ１０６とがプラスチック材によって形成されている。これにより、ジャバラ管装着工具１０１の製造の容易化が図られるのみならず、ジャバラ管装着工具１０１の全体を軽量に形成することができる。したがって、ジャバラ管装着工具１０１を装着する電線１０２がどのような向きであっても、ジャバラ管装着工具１０１を用いてジャバラ管１０４を装着することができる。しかも、ジャバラ管装着工具１０１の取り扱いが容易となり、電線１０２にジャバラ管装着工具１０１を固定する作業の作業性を良好にすることもできる。これに加えて、万が一にジャバラ管装着工具１０１を落としてしまったような場合であっても、落下位置に位置する人や物に対する被害を小さくすることができる。
【符号の説明】
【００４３】
１０２    電線
１０３    電線固定部
１０４    ジャバラ管
１０５    ジャバラ管挿入体
１０６    セパレータ
１０７    割部
１０８ａ  つなぎ部
１０９    固定機構
１１３    挟持板
１１３ａ  挟持板
１１３ｂ  挟持板
１１４    調節機構
１１８    摘み部
【図１】
2011182531.tif 000003
【図２】
2011182531.tif 000004
【図３】
2011182531.tif 000005
【図４】
2011182531.tif 000006
【図５】
2011182531.tif 000007
【図６】
2011182531.tif 000008
【図７】
2011182531.tif 000009
【図８】
2011182531.tif 000010
【図９】
2011182531.tif 000011